(57)【要約】【課題】表示装置の表示パネルに表示されるデータの先読みを行う表示装置において、省電力モードに迅速に移行して、表示装置の使用時間を長くできる表示装置及び当該表示装置のＣＰＵが実行するコンピュータプログラムを提供すること。【解決手段】  ＬＣＤコントローラが表示パネルに表示を行っている間に、ＣＰＵは表示データ読み出し処理（Ｓ１７）で読み出していないページデータをメモリカードから読み出す先読み処理を開始する（Ｓ８）。ＬＣＤコントローラがＲＡＭに記憶された表示パネル用の表示データを表示パネルに表示完了（Ｓ７：ＹＥＳ）し、ＣＰＵは先読み処理を終了する（Ｓ９）。その後、ＣＰＵは通常時よりも消費電力を大幅に小さくする省電力モードに入る（Ｓ１４）。【選択図】図４
2012032637.tif 000002
【特許請求の範囲】
【請求項１】
表示用のデータを記憶した第一記憶手段からデータを読み出して表示パネルに表示する表示装置であって、
前記表示装置の主制御を司るＣＰＵと、
当該ＣＰＵとは独立して動作し、当該表示装置の何れかの機能を制御するコントローラと、
前記ＣＰＵ及び前記コントローラの動作の終了後に前記ＣＰＵを電力の消費が通常である通常モードから電力の消費が少ない省電力モードに移行する省電力モード制御手段と、
前記第一記憶手段から前記データを読み出す読出手段と、
当該読出手段が読み出した前記データから前記表示パネルで表される表示用データを生成する生成手段と、
前記コントローラの動作が終了するまで、前記読出手段により前記表示パネルに未表示のデータを前記第一記憶手段から読み出して前記生成手段により前記表示用データを生成する先読み処理を行う先読み制御手段と、
前記先読み処理中であっても、前記コントローラが動作を終了した場合に、前記先読み制御手段による先読み処理を終了する先読み終了手段と
を備えたことを特徴とする表示装置。
【請求項２】
前記コントローラは、前記生成手段が生成した表示用データを前記電気泳動表示パネルに表示する表示制御手段であり、
前記先読み制御手段が前記先読み処理中であっても、前記表示制御手段が動作を終了した場合に、前記先読み終了手段は前記先読み制御手段による先読み処理を終了することを特徴とする請求項１に記載の表示装置。
【請求項３】
前記コントローラの動作が開始した場合には、前記先読み制御手段による先読み処理を開始することを特徴とする請求項１又は２に記載の表示装置。
【請求項４】
前記データを前記第一記憶手段より高速に読み書きできる第二記憶手段を備え、
前記先読み制御手段による先読み処理を終了する場合には、前記先読み終了手段は、前記生成手段により生成できたところまでの前記表示用データを前記第二記憶手段に記憶させることを特徴とする請求項１から３の何れかに記載の表示装置。
【請求項５】
データを一時的に記憶する第二記憶手段を備え、
前記先読み制御手段による先読み処理を終了する場合には、前記先読み終了手段は、前記読出手段により読み出したデータを前記第二記憶手段に記憶することを特徴とする請求項１から３の何れかに記載の表示装置。
【請求項６】
前記第二記憶手段に記憶したデータを読み出して、前記生成手段により前記表示パネルでの表示用データを生成し、前記表示制御手段が当該表示用データを前記表示パネルに表示することを特徴とする請求項５に記載の表示装置。
【請求項７】
表示用のデータを記憶した記憶装置からデータを読み出して表示パネルに表示する表示装置の主制御を司るＣＰＵと、当該ＣＰＵとは独立して動作し、当該表示装置の何れかの機能を制御するコントローラとを備えた前記表示装置の前記ＣＰＵが実行するコンピュータプログラムであって、
前記ＣＰＵ及び前記コントローラの動作の終了後に前記ＣＰＵを電力の消費が通常である通常モードから電力の消費が少ない省電力モードに移行する省電力モード制御処理と、
前記記憶装置から前記データを読み出す読出処理と、
当該読出処理で読み出した前記データから前記表示パネルで表される表示用データを生成する生成処理と、
前記コントローラの動作が終了するまで、前記表示パネルに未表示のデータを前記記憶装置から読み出して、前記表示用データを生成する先読み処理を行う先読み制御処理と、
前記先読み処理中であっても、前記コントローラが動作を終了した場合に、前記先読み先読み処理を終了する先読み終了処理と
を前記表示装置の前記ＣＰＵが実行するコンピュータプログラム。
【発明の詳細な説明】
【技術分野】
【０００１】
本発明は、表示装置及び当該表示装置のＣＰＵが実行するコンピュータプログラムに関し、詳細には、表示装置の表示パネルに表示されるデータの先読みを行う表示装置及び当該表示装置のＣＰＵが実行するコンピュータプログラムに関する。
【背景技術】
【０００２】
近年、各種の文書等を表示する文書表示装置が普及してきている。この文書表示装置では、電気泳動方式の表示パネルを使用するものや通常の液晶パネルを使用するものがある。これらの文書表示装置では、例えば、電気泳動方式の表示パネル等を使用していると１頁の表示完了までの時間がかかるので、現在表示しているデータの次に表示するデータを先に読み込んでおいて表示する「先読み」を行うようになっている（例えば、特許文献１参照）。この特許文献１に記載の発明では、ハイパーテキスト文書を画面に表示する電子読書支援システムにおいて、画面表示する文書データを取得する文書取得部と、取得された文書データのリンク関係を解析する文書解析部とを備えている。そして、先読み解析部により解析された関連する他の文書データを文書取得部に前もって取得させ、当該取得されたリンク元のデータに基づいて表示生成部が文書内容を画面表示させるとともに、前もって取得されたリンク先のデータに基づいて関連する他の文書の存在を当該文書内容を縮小して表すアイコンにより表示するようにしている。
【先行技術文献】
【特許文献】
【０００３】
【特許文献１】特開２００１−１０９６５４号公報
【発明の概要】
【発明が解決しようとする課題】
【０００４】
しかしながら、特許文献１に記載の発明では、表示するページについてどのような内容の先読みを行うかその特定方法についての開示はあるが、先読みを行う際の表示装置の消費電力については考慮されていなかった。従って、従来技術の表示装置では、消費する電力が大きくなり、その結果、バッテリの持ちが悪くなって表示装置の使用時間が短くなるという問題点があった。
【０００５】
本発明は、上記問題点を解決するためになされたものであり、表示装置の表示パネルに表示されるデータの先読みを行う表示装置において、省電力モードに迅速に移行して、表示装置の使用時間を長くできる表示装置及び当該表示装置のＣＰＵが実行するコンピュータプログラムを提供することを目的とする。
【課題を解決するための手段】
【０００６】
本発明の第一の態様にかかる表示装置は、表示用のデータを記憶した第一記憶手段からデータを読み出して表示パネルに表示する表示装置であって、前記表示装置の主制御を司るＣＰＵと、当該ＣＰＵとは独立して動作し、当該表示装置の何れかの機能を制御するコントローラと、前記ＣＰＵ及び前記コントローラの動作の終了後に前記ＣＰＵを電力の消費が通常である通常モードから電力の消費が少ない省電力モードに移行する省電力モード制御手段と、前記第一記憶手段から前記データを読み出す読出手段と、当該読出手段が読み出した前記データから前記表示パネルで表される表示用データを生成する生成手段と、前記コントローラの動作が終了するまで、前記読出手段により前記表示パネルに未表示のデータを前記第一記憶手段から読み出して前記生成手段により前記表示用データを生成する先読み処理を行う先読み制御手段と、前記先読み処理中であっても、前記コントローラが動作を終了した場合に、前記先読み制御手段による先読み処理を終了する先読み終了手段とを備えている。
【０００７】
第一の態様にかかる表示装置では、先読み処理を行うので表示処理の高速化を図ることができる。また、表示パネルへの表示完了待ち状態の時には、ＣＰＵは動作していないが、前記コントローラが動作しているため、省電力モードに移行することができない。そのため、前記コントローラが動作を終了した時点で、先読み処理を終了して、省電力モードへ移行することができる。従って、表示装置の消費電力を抑えることができる。また、表示装置の使用時間を長くできる。
【０００８】
また、前記表示装置では、前記コントローラは、前記生成手段が生成した表示用データを前記電気泳動表示パネルに表示する表示制御手段であり、前記先読み制御手段が前記先読み処理中であっても、前記表示制御手段が動作を終了した場合に、前記先読み終了手段は前記先読み制御手段による先読み処理を終了するようにしてもよい。この場合には、前記表示制御手段が動作を終了し表示パネルに表示が完了した場合に、直ちに先読み制御手段による先読み処理を終了して省電力モードに移行できる。
【０００９】
また、前記表示装置では、前記コントローラの動作が開始した場合には、前記先読み制御手段による先読み処理を開始するようにしてもよい。この場合には、前記コントローラの動作が開始した場合には、前記先読み制御手段による先読み処理を開始するので、表示処理の高速化を図ることができる。
【００１０】
また、前記表示装置では、前記データを前記第一記憶手段より高速に読み書きできる第二記憶手段を備え、前記先読み制御手段による先読み処理を終了する場合には、前記先読み終了手段は、前記生成手段により生成できたところまでの前記表示用データを前記第二記憶手段に記憶させるようにしてもよい。この場合には、生成手段による全てのデータの生成を待たずに、生成できたところまでの表示用データを前記第二記憶手段に記憶させて直ちに先読み制御手段による先読み処理を終了して省電力モードに移行できる。
【００１１】
また、前記表示装置では、前記データを前記第一記憶手段より高速に読み書きできる第二記憶手段を備え、前記先読み制御手段による先読み処理を終了する場合には、前記先読み終了手段は、前記読出手段により読み出したデータを前記第二記憶手段に記憶するようにしてもよい。この場合には、前記読出手段により読み出したデータをそのまま前記第二記憶手段に記憶させて直ちに先読み制御手段による先読み処理を終了して省電力モードに移行できる。
【００１２】
また、前記制御手段は、前記第二記憶手段に記憶したデータを読み出して、前記生成手段により前記表示パネルでの表示用データを生成し、前記表示制御手段が当該表示用データを前記表示パネルに表示するようにしてもよい。この場合には、前記第二記憶手段からデータを読み出すので、生成手段により表示用データを生成完了するまでの時間を短縮することができる。
【００１３】
また、本発明の第二の態様にかかる表示装置のＣＰＵが実行するコンピュータプログラムは、表示用のデータを記憶した記憶装置からデータを読み出して表示パネルに表示する表示装置の主制御を司るＣＰＵと、当該ＣＰＵとは独立して動作し、当該表示装置の何れかの機能を制御するコントローラとを備えた前記表示装置の前記ＣＰＵが実行する制御プログラムであって、前記ＣＰＵ及び前記コントローラの動作の終了後に前記ＣＰＵを電力の消費が通常である通常モードから電力の消費が少ない省電力モードに移行する省電力モード制御処理と、前記記憶装置から前記データを読み出す読出処理と、当該読出処理で読み出した前記データから前記表示パネルで表される表示用データを生成する生成処理と、前記コントローラの動作が終了するまで、前記表示パネルに未表示のデータを前記記憶装置から読み出して、前記表示用データを生成する先読み処理を行う先読み制御処理と、前記先読み処理中であっても、前記コントローラが動作を終了した場合に、前記先読み先読み処理を終了する先読み終了処理とを前記表示装置のＣＰＵが実行することを特徴とする。従って、表示処理の高速化を図ることができる。また、表示パネルへの表示完了待ち状態の時には、ＣＰＵは動作していないが、前記コントローラが動作しているため、省電力モードに移行することができない。そのため、前記コントローラが動作を終了した時点で、先読み処理を終了して、省電力モードへ移行することができる。従って、表示装置の消費電力を抑えることができる。また、表示装置の使用時間を長くできる。
【図面の簡単な説明】
【００１４】
【図１】表示装置１の正面図である。
【図２】表示装置１の電気的構成を示すブロック図である。
【図３】ドキュメントデータ３００の内容を示す概念図である。
【図４】表示装置１の主制御のフローチャートである。
【図５】表示装置１の先読み処理のフローチャートである。
【図６】表示装置１の先読み処理のタイミングチャートである。
【発明を実施するための形態】
【００１５】
以下、本発明に係る表示装置を具現化した表示装置１について、図面を参照して説明する。なおこれらの図面は、本発明が採用しうる技術的特徴を説明するために用いられるものであり、記載されている表示装置の構成、各種処理のフローチャートなどは、それのみに限定する趣旨ではなく、単なる説明例である。
【００１６】
まず、図１を参照し、表示装置１の概要について説明する。表示装置１は、正面視、略長方形の板状である。表示装置１は、略長方形状の表示パネル２を正面側に備えている。表示パネル２は、不揮発性の表示素子から構成されている。不揮発性の表示素子は、表示中の像を書き換える場合にのみ電力を必要とし、電力の供給が断たれても表示中の像を保持することが可能であるという特性を有している。表示パネル２としては、従来周知の様々な不揮発性の表示素子が使用可能である。例えば、マイクロカプセル方式や電気泳動式等の不揮発性の表示素子が使用可能である。なお、図１に示す表示装置１は、表示パネル２に白色のみの画面が表示されている。
【００１７】
表示装置１は、表示パネル２の右側に、上下方向に並んだ複数の選択ボタン３を備えている。選択ボタン３は、表示パネル２のうち選択ボタン３の左側部分に表示される選択メニューのうちいずれかを選択する場合に使用される。
【００１８】
表示装置１は、選択ボタン３の右側に、電源のＯＮ／ＯＦＦを示す電源ランプ１０、電源をオンオフするための電源スイッチ４、メニューを表示させるためのメニューボタン５、表示されているドキュメントを閉じるための閉ボタン６、ドキュメントを拡大するための拡大ボタン７、頁を次の頁に送る次ボタン８、頁を前の頁に戻す前ボタン９が配置されている。これらのボタンを総称して「操作キー３４」という。
【００１９】
次に、図２を参照して表示装置１の電気的構成を説明する。表示装置１は、ＣＰＵ２１、ＲＯＭ２４及びＲＡＭ２５を備えている。ＣＰＵ２１は、表示装置１の主制御や表示パネル２の表示制御等を司る。ＲＯＭ２４は、ＣＰＵ２１が各種の処理等を実行するために必要なプログラムやその他の情報を記憶している。ＣＰＵ２１はＲＯＭ２４と電気的に接続され、ＲＯＭ２４の記憶領域にアクセスできる。また、ＲＡＭ２５は、表示パネル２に表示形式に生成された表示データ等を一時的に記憶する表示データ記憶領域（図示外）と、現在表示されている頁数を記憶する頁数（ｎＰａｇｅ）記憶領域（図示外）と、その他の情報記憶領域（図示外）を少なくとも備えている。ＣＰＵ２１はＲＡＭ２５と電気的に接続され、ＲＡＭ２５の記憶領域にアクセスできる。
【００２０】
また、表示装置１は、メモリカードインターフェース（以下、「メモリカードＩ／Ｆ」と言う）２６を備えている。メモリカードＩ／Ｆ２６には、メモリカード３５が接続される。メモリカード３５の一例としては、ＳＤメモリカード、ＳＤＨＣメモリカード、マイクロＳＤメモリカード、マイクロＳＤＨＣメモリカード等の周知のメモリカード用いることができる。メモリカード３５には、表示装置１の表示パネル２で表示されるデータが記憶されている。ＣＰＵ２１はメモリカードＩ／Ｆ２６を介してメモリカード３５と電気的に接続する。ＣＰＵ２１は、メモリカード３５の記憶領域にアクセスする。尚、ＲＡＭ２５はデータをメモリカード３５より高速に読み書きできる。
【００２１】
また、表示装置１は、表示パネル２を駆動制御するＬＣＤコントローラ２３を備えている。ＣＰＵ２１はＬＣＤコントローラ２３と電気的に接続している。ＣＰＵ２１は、ＬＣＤコントローラ２３を介して表示パネル２に所望の像を表示させることができる。さらに、ＣＰＵ２１は、操作キー３４と電気的に接続しており、ＣＰＵ２１は、ユーザによって操作キー３４が操作されたことを検出できる。
【００２２】
また、表示装置１は、バッテリ３１と充電コントローラ３０とを備えている。ＣＰＵ２１は、充電コントローラ３０と接続されている。バッテリ３１は充電コントローラ３０と接続される。これによって、バッテリ３１から充電コントローラ３０を介してＣＰＵ２１に電力が供給される。尚、バッテリ３１としては、充電可能な二次電池であれば特段限定されず、周知の電池が使用可能である。例えば、バッテリ３１としては、リチウムイオン電池、ニッケル水素電池、ニッケル・カドミウム蓄電池、リチウムポリマー電池等が使用可能である。
【００２３】
また、表示装置１は、ＵＳＢ（Ｕｎｉｖｅｒｓａｌ  Ｓｅｒｉａｌ  Ｂｕｓ）デバイスコントローラ２７を備えている。デバイスコントローラ２７は、ＵＳＢコネクタ３２を介して、外部のＵＳＢデバイス３６に電気的に接続されるようになっている。充電コントローラ３０は、ＵＳＢコネクタ３２又は図示外のＡＣコネクタから供給される電流により、バッテリ３１を充電することができる。
【００２４】
また、表示装置１は、アンテナ（図示外）と通信部（図示外）とを備えている。通信部は、例えば、ブルートゥースモジュール等の通信モジュールを備えている。ＣＰＵ２１は、通信部とアンテナとを介して、外部機器とデータ通信を行うことができる。
【００２５】
次に、図３を参照して、メモリカード３５に記憶されるデータについて説明する。図３に示すように、メモリカード３５には、表示パネル２に表示されるドキュメントデータ３００が記憶されている。ドキュメントデータ３００は、フォルダパス等のフォルダ情報３０１と、当該ドキュメントデータ３００のタイトルや日付データ等のドキュメント情報３０２と、全ページ数等のページ情報３０３と、表示される各ページのデータ３０４とが記憶されている。このドキュメントデータ３００のドキュメント情報３０２の日付を見れば、当該ドキュメントデータ３００が最新のものであるか否かの判断ができる。
【００２６】
次に、図４及び図５のフローチャートと図６のタイミングチャートを参照して、メモリカード３５からドキュメントデータ３００を読み出して表示する制御について説明する。図４に示すフローチャートは、表示装置１のＣＰＵ２１が実行する主制御のフローチャートであり、ＲＯＭ２４に記憶されている。また、図５に示すフローチャートは、表示装置１のＣＰＵ２１が実行する先読み処理のサブルーチンのフローチャートであり、ＲＯＭ２４に記憶されている。
【００２７】
表示装置１では、電源がＯＦＦ状態で電源スイッチ４を押下すると、図１に示すように、表示装置１の表示パネル２にメモリカード３５に記憶されているデータのフォルダが一覧表示される（Ｓ２）。ここで、電源スイッチ４（Ｓ３）が押下された場合には、電源ＯＦＦとなる（Ｓ１９）。データのフォルダが一覧表示状態で（Ｓ２）、選択ボタン３が押下された場合には（Ｓ３）、そのフォルダ内の表示用のドキュメントが一覧表示される（Ｓ２）。
【００２８】
この状態で、使用者は、何れかの選択ボタン３を押下してドキュメントを選択する。この状態が図６に示すタイミングチャートのタイミングＴ０である。最初は、先読みデータは無いので（Ｓ４）、表示装置１のＣＰＵ２１は、通常モードで起動して、メモリカード３５から表示用のデータであるドキュメント情報の読み出を行う（Ｓ１７）。この読み出し処理では、図３に示すドキュメントデータ３００のフォルダ情報を取得し、当該フォルダ情報で指定されるフォルダの該当ドキュメント情報を取得し、該当ドキュメントの全ページ数等のページ情報を取得し、第１ページ目のデータを読み出して、当該データを展開して、表示パネル２用の表示データを生成する（Ｓ１７）。次いで、生成した表示データを表示パネル２用の表示データとして設定し、ＲＡＭ２５に記憶する（Ｓ１８）。これが、図６に示すタイミングＴ０からＴ１までの処理である。この間は、ＣＰＵ２１は、処理の負荷が重いので、通常の消費電力で作動する通常モードである。
【００２９】
次いで、図２に示すＬＣＤコントローラ２３がＲＡＭ２５に記憶された表示パネル２用の表示データを表示パネル２に表示開始する（Ｓ６）。本実施の形態では、表示パネル２の一例として、不揮発性の表示素子を使用しているので、表示完了（Ｓ７：ＹＥＳ）までにかかる時間が通常の液晶よりも長い。一例として、数１００ｍｓ程度かかる。この時間が図６に示すタイミングＴ１からＴ２までの時間である。ＣＰＵ２１は、表示が開始されると（Ｓ６）、先読み処理を開始して（Ｓ７：ＮＯ，Ｓ８）、表示完了（Ｓ７：ＹＥＳ）まで、先読み処理を行う。この先読み処理の期間がタイミングＴ１からタイミングＴ２までの期間である。この先読み処理は、現在、表示パネル２に表示されつつあるドキュメントのページデータよりも後に表示されるページデータで未だメモリカード３５から読み込まれていないものを予めメモリカード３５から読み出し、表示パネル２用の表示形式のデータを生成する処理である。尚、後述する先読み処理は、表示データを表示パネル２に表示する処理と並行して行われる。
【００３０】
以下、図５のフローチャートを参照して、先読み処理（Ｓ８）について説明する。この先読み処理では、従来の液晶ディスプレイを使用した表示装置で行われている表示に対するデータの単なる先読みとは異なり、以下に説明するように、表示パネル２用の表示データの生成まで行う先読み処理を行うものである。まず、図３に示すドキュメントデータ３００のフォルダ情報を取得する（Ｓ２１）。次いで、当該フォルダ情報で指定されるフォルダの該当ドキュメント情報を取得する（Ｓ２２）。次いで、該当ドキュメントの全ページ数等のページ情報を取得する（Ｓ２３）。次いで、図４に示すＳ１７の表示データ読み出し処理で読み出していないページデータをメモリカード３５から読み出す（Ｓ２４）。次いで、その読み出したページデータをデータ展開する（Ｓ２５）。次いで、表示パネル２用の表示形式のデータを生成する（Ｓ２６）。次いで、そのデータをＲＡＭ２５に記憶して保存する（Ｓ２７）。
【００３１】
次いで、図４のフローチャートに戻り、図２に示すＬＣＤコントローラ２３がＲＡＭ２５に記憶された表示パネル２用の表示データを表示パネル２に表示完了（Ｓ７：ＹＥＳ、図６に示すタイミングＴ２）し、ＬＣＤコントローラ２３の動作が終了し、先読み処理を終了する（Ｓ９、図６に示すタイミングＴ２）。尚、先読み処理の終了は、図５に示すＳ２１からＳ２７までの処理が済んでいる場合には、そのデータをＲＡＭ２５に記憶する（Ｓ９）。また、図５に示すＳ２１からＳ２４までの処理しか済んでいない場合には、Ｓ２４で読み出したデータのままＲＡＭ２５に記憶する（Ｓ９）。その後、予め決められている所定時間操作キー３４の操作が無いと（Ｓ１０：ＮＯ、Ｓ１３：ＹＥＳ）、ＣＰＵ２１は、図６に示すタイミングＴ３から通常時よりも消費電力を大幅に小さくする省電力モードに入る（Ｓ１４）。また、操作キー３４の操作が無いが（Ｓ１０：ＮＯ）、予め決められている所定時間には達していない場合には（Ｓ１３：ＮＯ）、Ｓ１０の判断処理に戻る。尚、この所定時間は、１分とか５分とか適宜決めておけば良いし、また、任意の時間を設定できるようにしても良い。
【００３２】
次いで、操作キー３４のいずれかが操作されると（Ｓ１０：ＹＥＳ、図６のタイミングＴ４）、ＣＰＵ２１は、通常モードになり（Ｓ１１）、押下されたキーに応じて（Ｓ１２）処理が行われる。電源スイッチ４が押下されると電源ＯＦＦとなり、閉ボタン６が押下されると、Ｓ２の一覧画面表示に戻る。また、次ボタン８又は前ボタン９が押下されると、Ｓ４に戻る。
【００３３】
尚、Ｓ４の処理では、Ｓ８の先読み処理で先読みしたデータがＲＡＭ２５に無い場合には、メモリカード３５から表示用のデータの読み出を行う（Ｓ１７、図６のタイミングＴ４からＴ５まで）。次いで、そのメモリカード３５から読み出したデータを表示データに設定する（Ｓ１８）。また、Ｓ８の先読み処理で先読みした表示パネル２の表示用の完全なデータがＲＡＭ２５にある場合には、その先読みしたデータを表示データに設定する（Ｓ５）。また、Ｓ８の先読み処理で先読みした表示パネル２の表示用のデータがＲＡＭ２５に一部記憶されている場合には、先読みしていないデータをメモリカード３５から読み出して（Ｓ１５）、ＲＡＭ２５に記憶されている先読みしたデータと合わせて表示データに設定する（Ｓ１６）。その後、前記同様に、Ｓ６からの処理を繰り返す（図６のタイミングＴ５以降）。
【００３４】
以上説明したように、本実施の形態の表示装置１及びＣＰＵ２１が実行する制御プログラムによれは、先読み処理を行うので表示処理の高速化を図ることができる。また、表示パネル２への表示完了待ち状態の時には、ＣＰＵ２１は動作していないが、ＬＣＤコントローラ２３が動作しているため、省電力モードに移行することができない。そのため、本実施の形態では、表示パネル２への表示が完了した時点で、先読み処理を終了して、省電力モードへ移行する。従って、表示パネル２への表示完了待ち時のみ先読み処理を行うことで、表示装置１全体の消費電力を抑えることができる。表示装置１はバッテリ３１で駆動されるので、本発明により駆動時間を長くすることができる。
【００３５】
上記実施の形態では、メモリカード３５が「第一記憶手段」又は「記憶装置」の一例であり、ＲＡＭ２５が「第二記憶手段」の一例であり、ＬＣＤコントローラ２３が「コントローラ」の一例である。尚、コントローラの他の例としては、ＵＳＢデバイスコントローラ２７等がある。また、Ｓ１４の処理を実行するＣＰＵ２１が「省電力モード制御手段」の一例であり、メモリカードＩ／Ｆ２６が「読出手段」の一例である。また、Ｓ１７及びＳ１８の処理を実行するＣＰＵ２１が「生成手段」の一例である。また、Ｓ１８（図５のＳ２１〜Ｓ２７）の処理を実行するＣＰＵ２１が「先読み制御手段」の一例である。また、Ｓ９の処理を実行するＣＰＵ２１が「先読み終了手段」の一例である。
【００３６】
なお、本発明は上記実施の形態に限定されるものではなく、種々の変更が可能である。例えば、表示パネル２としては、液晶表示パネル等を使用しても良い。
【符号の説明】
【００３７】
１  表示装置
２  表示パネル
２１  ＣＰＵ
２３  ＬＣＤコントローラ
２４  ＲＯＭ
２５  ＲＡＭ
２６  メモリカードＩ／Ｆ
２７  ＵＳＢデバイスコントローラ
３１  バッテリ
３４  操作キー
３５  メモリカード
３００  ドキュメントデータ
３０１  フォルダ情報
３０２  ドキュメント情報
３０３  ページ情報
３０４  データ
【図１】
2012032637.tif 000003
【図２】
2012032637.tif 000004
【図３】
2012032637.tif 000005
【図４】
2012032637.tif 000006
【図５】
2012032637.tif 000007
【図６】
2012032637.tif 000008